(57)【要約】      （修正有）【課題】口腔内照明を行うことができる吸引器の照明装置を提供する。【解決手段】吸引器１０の照明装置は、吸引器１０と、発光ダイオード２０と、を含む。発光ダイオード２０とその電源コード２１は透明ホース３０によって被覆され、透明ホース３０の外側に係合リング４０が配設され、吸引器１０と係合して、吸引器１０の形状に合わせて適当に湾曲する。【選択図】図１
0003178976.tif 000002
【実用新案登録請求の範囲】
【請求項１】
吸引器と、発光ダイオードを含む、吸引器の照明装置であって、
前記発光ダイオードには、電源コードがあり、前記発光ダイオードと前記電源コードの外部は透明ホースによって被覆され、
前記透明ホースは前記吸引器の上に結合され、就診患者の口腔の中に差し入れ、口腔内の照明に供することを特徴とする吸引器の照明装置。
【請求項２】
前記透明ホースには、複数の係合部品が設けられ、前記係合部品は、前記吸引器と係合して安定性を増加させることを特徴とする請求項１に記載の吸引器の照明装置。
【請求項３】
前記吸引器は排唾管（Saliver suction tube）であり、直管或いは湾管造形を呈し、
前記透明ホースはフレキシブル性を備え、吸引器の湾曲に合わせて、前記透明ホースと前記吸引器を緊密に結合させることを特徴とする請求項１に記載の吸引器の照明装置。
【考案の詳細な説明】
【技術分野】
【０００１】
本考案は、吸引器の照明装置に係り、特に歯科就診患者の口腔内における補助的照明灯具に使用され、且つ吸引器と結合して就診患者の口腔内に入れられる照明灯具に関する。
【背景技術】
【０００２】
歯科診療の時、大部分の時間は、診療椅子の上での診療に使われ、そして、歯科診療椅子には、大抵基本的な診療設備及び無影照明が配置され、且つ調整可能な無影灯によって就診患者の口腔内を照射することによって、歯科医が診療を行いやすいようにしている。人間の口腔を開く空間には限度があるため、或いは無影灯の調整角度に問題があり、口腔内部全体をハッキリ露呈させるほどの輝度を提供できず、口腔内部を明確に目視しにくい死角が生じ、改良が待たれていた。
【０００３】
このため、歯科医が口腔診療を行う時、通常小型の口腔照明灯具を補助的に使い、口腔内の患部を照らし、歯科診療作業を行いやすくする必要がある。しかし、小型照明灯具の照明効果には限度があり、別途に照明器具を把持して歯科医の需要に応じて位置を移動させる必要があり、歯科医はその照明器具を操作しなければならず、不便である。
【０００４】
そこで、本考案者は、歯科器材の操作を簡素化させることによって、歯科医が診療過程に専念できるように勘案した。図７に示すように、本考案者は、歯科医の診療過程で、歯科医者は通常吸引器（Asipirator）と排唾管（Saliver suction tube）を使用し、随時就診患者の口腔内の液体を吸い取り、診療過程をスムーズに保っていることに気付いた。ところが、若し同時に照明灯具を使用すると、操作が面倒であるばかりでなく、就診患者の限られた口腔空間内で、歯科医のその他の道具の使用を妨害することにもなる。
【０００５】
吸引器は、随時操作する必要があるため、もし照明灯具を前記吸引器の上に結合できれば、吸引器と照明灯具を同時に口腔内部へ深く挿入しても、歯科医の操作に影響することはなく、診療過程をスムーズで便利にすることができる。
【０００６】
照明灯具を吸引器の上に装着することは、難しい技術ではない。しかし、一般の人が設計するとき、医者の観点から実施できるとは限らないので、完ぺきな製品とはなり難い。照明灯具は電気を使用しなければならないので、電気量は小さいが、口腔内に入れる物品としては、影響は避け難い。もしかして就診患者自身が不整脈調整器を装備していれば、微細な電気量といえども影響があるかもしれない。
【０００７】
本考案者は、上述従来型口腔内照明灯具に派生する各項の欠点に鑑み、極力新規改良を試み、且つ長年苦心研鑽の末、ついに本件吸引器照明装置の研究開発に成功した。
【先行技術文献】
【特許文献】
【０００８】
【特許文献１】なし
【考案の概要】
【考案が解決しようとする課題】
【０００９】
本考案の主要目的は、口腔内照明を同時に行う機能を備え、歯科医が診療するときの照明を助け、必要な診療作業に専念出来る吸引器（Asipirator）の照明装置を提供することにある。
【課題を解決するための手段】
【００１０】
上述目的を達成するために考案された本考案吸引器の照明装置は、吸引器と、発光ダイオードを含み、前記発光ダイオードは、電源コードを備え、前記発光ダイオードと前記電源コードの外部を透明ホースで被覆し、前記透明ホースは前記吸引器に結合されている。前記透明ホースには係合部品があり、前記吸引器の外殻に係合して結合を完成することができる。外部係合の方式で、前記吸引器及び前記透明ホースは分離設計・製造・交換することができ、コストを下げ、交換が便利になる。前記透明ホースはフレキシブルで、吸引器の直管或いは湾管に対して、いずれも緊密に結合することができる。
【考案の効果】
【００１１】
本考案は、吸引器及び発光ダイオードの機能を同時に備え、歯科医者の作業効率を増加させ、歯科医者や就診患者のどちらにも有益である。
【図面の簡単な説明】
【００１２】
【図１】本考案の斜視分解図である。
【図２】本考案の斜視組合せ図である。
【図３】本考案の別の実施例の分解図である。
【図４】本考案の直管吸引器の正面構造図である。
【図５】本考案の湾管吸引器の正面構造図である。
【図６】本考案の使用例の模式図である。
【図７】従来型吸引器と照明灯具の使用例の模式図である。
【考案を実施するための形態】
【００１３】
以下、本考案の実施形態を図に基づいて説明する。
【００１４】
図１と図２は、本考案に係る吸引器１０の照明装置を示すものであり、主として、吸引器１０と、発光ダイオード２０を含む。本実施例では、前記吸引器１０は、排唾管（Saliver suction tube）であり、前記発光ダイオード２０には、電源コード２１があり、外部の電源サプライヤー（図示せず）に接続されている、前記発光ダイオード２０と前記電源コード２１の外部に透明ホース３０が被覆され、前記透明ホース３０は前記吸引器１０と結合されている。このようにして、前記吸引器１０が仕事をすると同時に、前記発光ダイオード２０も発光して照明を助けることができる。
【００１５】
前記透明ホース３０自体は絶縁材質からなり、前記発光ダイオードと電源コードの電気量が漏れることを避け、就診患者６０の安全を保護する。且つ前記透明ホース３０の中の発光ダイオード２０は、前記透明ホース３０の末端に設けられ、前記吸引器１０の開口付近に係合して照明しやすいようにしてある。
【００１６】
前記透明ホース３０の前記吸引器１０に結合する方式は、前記透明ホース３０に係合部品が設けられ、本実施例では係合リング４０であるが、前記係合リング４０には欠け口があり、前記吸引器１０の外殻をこの欠け口に係合させて結合を完成する。外部から係合する方式によって、前記吸引器１０は一般にみられる製品であってよく、本考案特有の前記透明ホース３０の設計に合わせるだけで、任意に前記発光ダイオード２０を前記吸引器１０の上に位置決めして補助照明を行うことができる。
【００１７】
前記係合リング４０は、前記透明ホース３０と一体成型或いは別々に製造することができ、且つ前記係合リング４０は複数制作して、平均的に前記吸引器１０の大部分の外殻上に分布させ、係合の安定性を増加することもできる。その中で、最前端の係合リング４０を前記発光ダイオード２０に近づけることによって、前記吸引器１０の前端に安定固着させ、排唾作業時に正しい照明を行うことができる。
【００１８】
図３を参照して、前記係合部品は、嵌め込みリング５０の設計であってもよく、前記吸引器１０の後端から嵌め込んで前記透明ホース３０を位置決めすることもできる。同様に、前記嵌め込みリング５０は、複数制作して、係合の安定性を増加させ、又、前記嵌め込みリング５０と前記透明ホース３０を一体成型或いは別々に製造することもできる。
【００１９】
図４を参照して、前記吸引器１０は、直管設計で、前記透明ホース３０も同様に平直に前記吸引器１０の上に結合されている。或いは図５に示すように、前記吸引器１０は湾管設計であってもよい、或いは前記吸引器１０をフレキシブル材料で製造して、湾曲させなくてもよく、前記透明ホース３０を同様にフレキシブルにすることによって、前記透明ホース３０を前記吸引器１０の上に緊密に結合することができる。
【００２０】
図６を参照して、前述構造によって完成された本考案は、前記吸引器１０及び前記発光ダイオード２０の機能を同時に備え、歯科医の道具数量を簡素化し、就診患者の口腔有限空間内において、迅速有効な診療を行い、歯科医と就診患者が共に受益することができる。
【００２１】
上述詳細な説明は、本考案の実施可能な実施例についての具体的説明であり、ただし前記実施例は、本考案登録請求の範囲を制限するものではなく、およそ本考案の創作技芸精神を逸脱せずになされる等価実施或いは変更は、すべて本考案登録請求の範囲に含まれるものとする。
【符号の説明】
【００２２】
１０：吸引器
２０：発光ダイオード
２１：電源コード
３０：透明ホース
４０：係合リング
５０：嵌め込みリング
６０：就診患者
７０：照明灯具
８０：吸引器
【図１】
0003178976.tif 000003
【図２】
0003178976.tif 000004
【図３】
0003178976.tif 000005
【図４】
0003178976.tif 000006
【図５】
0003178976.tif 000007
【図６】
0003178976.tif 000008
【図７】
0003178976.tif 000009
【手続補正書】
【提出日】平成24年8月24日(2012.8.24)
【手続補正１】
【補正対象書類名】明細書
【補正対象項目名】全文
【補正方法】変更
【補正の内容】
【考案の詳細な説明】
【技術分野】
【０００１】
本考案は、照明灯具に関し、特に歯科就診患者の口腔内における補助的照明灯具に使用され、且つ吸引器と結合して就診患者の口腔内に入れられる吸引器の照明装置に関する。
【背景技術】
【０００２】
歯科診療の時、大部分の時間は、診療椅子の上での診療に使われ、そして、歯科診療椅子には、大抵基本的な診療設備及び無影照明が配置され、且つ調整可能な無影灯によって就診患者の口腔内を照射することによって、歯科医が診療を行いやすいようにしている。人間の口腔を開く空間には限度があるため、或いは無影灯の調整角度に問題があり、口腔内部全体をハッキリ露出させるほどの照度を提供できず、口腔内部を明確に目視しにくい死角が生じ、改良が待たれていた。
【０００３】
このため、歯科医が口腔診療を行う時、通常小型の口腔照明灯具を補助的に使い、口腔内の患部を照らし、歯科診療作業を行いやすくする必要がある。しかし、小型照明灯具の照明効果には限度があり、別途に照明器具を把持して歯科医の需要に応じて位置を移動させる必要があり、歯科医はその照明器具を操作しなければならず、不便である。
【０００４】
そこで、本考案者は、歯科器材の操作を簡素化させることによって、歯科医が診療過程に専念できるように考案した。図７に示すように、本考案者は、歯科医の診療過程で、歯科医者は通常吸引器（Asipirator）と排唾管（Saliver suction tube）を使用し、随時就診患者の口腔内の液体を吸い取り、診療過程をスムーズに保っていることに気付いた。ところが、若し同時に照明灯具を使用すると、操作が面倒であるばかりでなく、就診患者の限られた口腔空間内で、歯科医のその他の道具の使用を妨害することにもなる。
【０００５】
吸引器は、随時操作する必要があるため、もし照明灯具を前記吸引器の上に結合できれば、吸引器と照明灯具を同時に口腔内部へ深く挿入しても、歯科医の操作に影響することはなく、診療過程をスムーズで便利にすることができる。
【０００６】
照明灯具を吸引器の上に装着することは、難しい技術ではない。しかし、一般の人が設計するとき、医者の観点から実施できるとは限らないので、完璧な製品とはなり難い。照明灯具は電気を使用しなければならないので、電気量は小さいが、口腔内に入れる物品としては、影響は避け難い。もし就診患者自身が不整脈調整器を装備していれば、微細な電気量といえども影響があるかもしれない。
【０００７】
本考案者は、上述従来型口腔内照明灯具に発生する各項の欠点に鑑み、極力新規改良を試み、且つ長年苦心研鑽の末、ついに本件吸引器照明装置の研究開発に成功した。
【先行技術文献】
【特許文献】
【０００８】
【特許文献１】なし
【考案の概要】
【考案が解決しようとする課題】
【０００９】
本考案の主要目的は、口腔内照明を同時に行う機能を備え、歯科医が診療するときの照明を助け、必要な診療作業に専念出来る吸引器（Asipirator）の照明装置を提供することにある。
【課題を解決するための手段】
【００１０】
上述目的を達成するために考案された本考案吸引器の照明装置は、吸引器と、発光ダイオードを含み、前記発光ダイオードは、電源コードを備え、前記発光ダイオードと前記電源コードの外部を透明ホースで被覆し、前記透明ホースは前記吸引器に結合されている。前記透明ホースには係合部品があり、前記吸引器の外殻に係合して結合を完成することができる。外部係合の方式で、前記吸引器及び前記透明ホースは分離設計・製造・交換することができ、コストを下げ、交換が便利である。前記透明ホースはフレキシブルで、吸引器の直管或いは湾管に対して、いずれも緊密に結合することができる。
【考案の効果】
【００１１】
本考案は、吸引器及び発光ダイオードの機能を同時に備え、歯科医者の作業効率を増加させ、歯科医者や就診患者のどちらにも有益である。
【図面の簡単な説明】
【００１２】
【図１】本考案の斜視分解図である。
【図２】本考案の斜視組合せ図である。
【図３】本考案の別の実施例の分解図である。
【図４】本考案の直管吸引器の正面構造図である。
【図５】本考案の湾管吸引器の正面構造図である。
【図６】本考案の使用例の模式図である。
【図７】従来型吸引器と照明灯具の使用例の模式図である。
【考案を実施するための形態】
【００１３】
以下、本考案の実施形態を図に基づいて説明する。
【００１４】
図１と図２は、本考案に係る吸引器１０の照明装置を示すものであり、主として、吸引器１０と、発光ダイオード２０を含む。本実施例では、前記吸引器１０は、排唾管（Saliver suction
tube）であり、前記発光ダイオード２０には、電源コード２１があり、外部の電源サプライヤー（図示せず）に接続されている、前記発光ダイオード２０と前記電源コード２１の外部に透明ホース３０が被覆され、前記透明ホース３０は前記吸引器１０と結合されている。このようにして、前記吸引器１０が作動すると同時に、前記発光ダイオード２０も発光して照明を助けることができる。
【００１５】
前記透明ホース３０自体は絶縁材質からなり、前記発光ダイオードと電源コードの電気量が漏れることを避け、就診患者６０の安全を保護する。且つ前記透明ホース３０の中の発光ダイオード２０は、前記透明ホース３０の末端に設けられ、前記吸引器１０の開口付近に係合して照明しやすいようにしてある。
【００１６】
前記透明ホース３０の前記吸引器１０に結合する方式は、前記透明ホース３０に係合部品が設けられ、本実施例では係合リング４０であるが、前記係合リング４０には欠け口があり、前記吸引器１０の外殻をこの欠け口に係合させて結合を完成する。外部から係合する方式によって、前記吸引器１０は一般にみられる製品であってよく、本考案特有の前記透明ホース３０の設計に合わせるだけで、任意に前記発光ダイオード２０を前記吸引器１０の上に位置決めして補助照明を行うことができる。
【００１７】
前記係合リング４０は、前記透明ホース３０と一体成型或いは別々に製造することができ、且つ前記係合リング４０は複数制作して、平均的に前記吸引器１０の大部分の外殻上に分布させ、係合の安定性を増加することもできる。その中で、最前端の係合リング４０を前記発光ダイオード２０に近づけることによって、前記吸引器１０の前端に安定固着させ、排唾作業時に正しい照明を行うことができる。
【００１８】
図３を参照して、前記係合部品は、嵌め込みリング５０の設計であってもよく、前記吸引器１０の後端から嵌め込んで前記透明ホース３０を位置決めすることもできる。同様に、前記嵌め込みリング５０は、複数制作して、係合の安定性を増加させ、又、前記嵌め込みリング５０と前記透明ホース３０を一体成型或いは別々に製造することもできる。
【００１９】
図４を参照して、前記吸引器１０は、直管設計で、前記透明ホース３０も同様に平直に前記吸引器１０の上に結合されている。或いは図５に示すように、前記吸引器１０は湾管設計であってもよい、或いは前記吸引器１０をフレキシブル材料で製造して、湾曲させなくてもよく、前記透明ホース３０を同様にフレキシブルにすることによって、前記透明ホース３０を前記吸引器１０の上に緊密に結合することができる。
【００２０】
図６を参照して、前述構造によって完成された本考案は、前記吸引器１０及び前記発光ダイオード２０の機能を同時に備え、歯科医の道具数量を簡素化し、就診患者の口腔有限空間内において、迅速有効な診療を行い、歯科医と就診患者が共に受益することができる。
【００２１】
上述詳細な説明は、本考案の実施可能な実施例についての具体的説明であり、ただし前記実施例は、本考案登録請求の範囲を制限するものではなく、およそ本考案の創作技芸精神を逸脱せずになされる等価実施或いは変更は、すべて本考案登録請求の範囲に含まれるものとする。
【符号の説明】
【００２２】
１０：吸引器
２０：発光ダイオード
２１：電源コード
３０：透明ホース
４０：係合リング
５０：嵌め込みリング
６０：就診患者
７０：照明灯具
８０：吸引器